(57)【要約】【課題】少ないスペースでＬＥＤに対するレンズとの距離調整が容易な照明装置および照明システムを提供する。【解決手段】長尺の実装基板と、前記実装基板の第１面の長手方向に沿い搭載された複数の発光素子と、前記第１面の反対の第２面の前記実装基板に取着された放熱部材と、前記実装基板を取着した状態の前記放熱部材が一方の開放端から挿入された透光性の管型カバー部材と、前記発光素子に対向配置した長尺のレンズと、前記レンズの長手方向外側に、該レンズの光軸と平行する方向に前記発光素子との高さを持たせる脚部を介して、前記光軸と直交する方向の両外側に一体形成したガイド部と、前記管型カバー部材の内面に一体形成し、前記ガイド部と係合する凹状部と、を備えた。【選択図】図５
2018026275.tif 000002
【特許請求の範囲】
【請求項１】
長尺の実装基板と、
前記実装基板の第１面の長手方向に沿い搭載された複数の発光素子と、
前記第１面の反対の第２面の前記実装基板に取着された放熱部材と、
前記実装基板を取着した状態の前記放熱部材が一方の開放端から挿入された透光性の管型カバー部材と、
前記発光素子に対向配置した長尺のレンズと、
前記レンズの長手方向外側に、該レンズの光軸と平行する方向に前記発光素子との高さを持たせる脚部を介して、前記光軸と直交する方向の両外側に一体形成したガイド部と、
前記管型カバー部材の内面に一体形成し、前記ガイド部と係合する凹状部と、を備えた照明装置。
【請求項２】
前記脚部の高さの異なる前記ガイド部を有する複数種の前記レンズを、前記ガイド部に選択的に取り付けるようにした、請求項１記載の照明装置。
【請求項３】
前記管型カバー部材に拡散材を含有した、請求項１記載の照明装置。
【請求項４】
前記放熱部材に形成した凹状部または凸状部と前記管型カバー部材の内面に形成した凸状部または凹状部をスライド自在に取着し、前記放熱部材を前記管型カバー部材から出し入れ自在とした、請求項１記載の照明装置。
【請求項５】
前記レンズの両側に形成されたガイド部と前記管型カバー部材の内面に形成した凹状部をスライド自在に取着し、前記レンズを前記管型カバー部材から出し入れ自在とした、請求項１記載の照明装置。
【請求項６】
前記レンズは、異なる方向の照射角に照射させる光学変換を行う機能を備えてなる、請求項１乃至５のいずれか一項記載の照明装置。
【請求項７】
長尺の実装基板と、
前記実装基板の第１面の長手方向に沿い搭載された複数の発光素子と、
前記第１面の反対の第２面の前記実装基板に取着された放熱部材と、
前記実装基板を取着した状態の前記放熱部材が一方の開放端から挿入された透光性の管型カバー部材と、
前記発光素子に対向配置した長尺のレンズと、
前記レンズの長手方向外側に、該レンズの光軸と平行する方向に前記発光素子との高さを持たせる脚部を介して、前記光軸と直交する方向の両外側に一体形成したガイド部と、
前記放熱部材と一体的に形成し、前記ガイド部を係止する係止部と、を備えた照明装置。
【請求項８】
前記脚部の高さの異なる前記ガイド部を有する複数種の前記レンズを、前記ガイド部に選択的に取り付けるようにした、請求項７記載の照明装置。
【請求項９】
前記レンズは、異なる方向の照射角に照射させる光学変換を行う機能を備えてなる、請求項７または８記載の照明装置。
【請求項１０】
前記管型カバー部材の外周部に、第２管型カバー部材を配置し、該第２管型カバー部材と前記管型カバー部材との間で周方向に回動可能とした請求項１〜９の何れか一項記載の照明装置。
【請求項１１】
長尺の実装基板と、
前記実装基板の第１面の長手方向に沿い搭載された複数の発光素子と、
前記第１面の反対の第２面の前記実装基板に取着された放熱部材と、
前記発光素子に対向配置した長尺のレンズと、
前記レンズ側を覆い、前記放熱部材側を開放した形状の透光性のＵ字型カバー部材と、
前記レンズの長手方向外側に、該レンズの光軸と平行する方向に前記発光素子との高さを持たせる脚部を介して、前記光軸と直交する方向の両外側に一体形成したガイド部と、
前記放熱部材と一体的に形成し、前記ガイド部を係止する係止部と、を備えた照明装置。
【請求項１２】
前記脚部の高さの異なる前記ガイド部を有する複数種の前記レンズを、前記ガイド部に選択的に取り付けるようにした、請求項１１記載の照明装置。
【請求項１３】
前記発光素子と対向する前記Ｕ字型カバー部材に前記レンズを持たせた、請求項１１または１２記載の照明装置。
【請求項１４】
前面に開口を有するショーケース本体内に、複数の商品陳列棚が画成される照明システムであって、
前記ショーケース本体内上部に、請求項１〜１３のいずれか一項記載の照明装置を取着した、照明システム。
【請求項１５】
前面に開口を有するショーケース本体内に、複数の商品陳列棚が画成される照明システムであって、
前記ショーケース本体内の商品を取り出す開口部の左右の上下に、請求項１〜１３のいずれか一項記載の照明装置を取着した、照明システム。
【発明の詳細な説明】
【技術分野】
【０００１】
この発明の実施形態は、光源として発光ダイオード（ＬＥＤ）を用いた照明装置およびこの照明装置を用いた照明システムに関する。
【背景技術】
【０００２】
従来、光源として発光ダイオードを用いた管型の照明装置が知られている。（例えば、特許文献１）
特許文献１は、管型カバー内に収納した長尺の実装基板に実装されたＬＥＤにレンズが対向配置されている。レンズは、ＬＥＤとの距離調整が可能なように管型カバー内面に、ＬＥＤとの距離を変える凹状部に選択的に取り付けられている。
【先行技術文献】
【特許文献】
【０００３】
【特許文献１】特開２０１５−１７３００７号公報
【発明の概要】
【発明が解決しようとする課題】
【０００４】
上記した特許文献１の技術は、管型カバー内にレンズとＬＥＤとの距離を変える凹状部が形成されている。凹状部は、管型カバーに一体形成されたリブにより形成されている。レンズとＬＥＤの距離を変えるため複数の凹状部を設けることは、その分広いスペースを必要とする。このため、管型カバーが大きくなり、延いては照明装置の小型化の妨げになっていた。
【０００５】
この発明の目的は、少ないスペースでＬＥＤに対するレンズとの距離調整が容易な照明装置および照明システムを提供することにある。
【課題を解決するための手段】
【０００６】
上記した課題を解決するために、この発明の照明装置は、長尺の実装基板と、前記実装基板の第１面の長手方向に沿い搭載された複数の発光素子と、前記第１面の反対の第２面の前記実装基板に取着された放熱部材と、前記実装基板を取着した状態の前記放熱部材が一方の開放端から挿入された透光性の管型カバー部材と、前記発光素子に対向配置した長尺のレンズと、前記レンズの長手方向外側に、該レンズの光軸と平行する方向に前記発光素子との高さを持たせる脚部を介して、前記光軸と直交する方向の両外側に一体形成したガイド部と、前記管型カバー部材の内面に一体形成し、前記ガイド部と係合する凹状部と、を備えた。
【図面の簡単な説明】
【０００７】
【図１】実施形態１の照明装置について説明するための一部切欠斜視図である。
【図２】実施形態１の正面から見た状態の一部切欠正面図である。
【図３】図２の側面図である。
【図４】図２のソケットを正面から拡大して示す正面図である。
【図５】図２Ａ−Ａ線に沿った断面図である。
【図６】図２Ａ−Ａ線に沿った断面図である。
【図７】実施形態２の照明装置について説明するための断面図である。
【図８】実施形態２の照明装置について説明するための断面図である。
【図９】実施形態３の動作について説明するための断面図である。
【図１０】実施形態４について説明するための断面図である。
【図１１】実施形態５について説明するための断面図である。
【図１２】実施形態６について説明するための断面図である。
【図１３】実施形態７の照明システムを示す側断面図である。
【図１４】実施形態８の照明システムを示す斜視図である。
【図１５】実施形態８の照明システムを示す斜視図である。
【図１６】実施形態８の照明システムを示す斜視図である。
【図１７】実施形態８の照明システムに用いる照明装置例について説明するための図である。
【図１８】実施形態７に用いられる点灯回路例を示す構成図である。
【発明を実施するための形態】
【０００８】
以下、この発明を実施するための形態について、図面を参照しながら詳細に説明する。各実施形態において、同一の構成部分には同一の符号を付して説明する。
【０００９】
（実施形態１）
図１〜図６は、この発明の実施形態１の照明装置について説明するための図である。図１は、一部切欠斜視図を示す。図２は、実施形態１の正面から見た状態の一部切欠正面図を示す。図３は、図２の側面図を示す。図４は、図２のソケットを正面から拡大して示す正面図を示す。図５は、図２Ａ−Ａ線拡大断面図を示す。図６は、図２Ａ−Ａ線拡大断面図を示す。
【００１０】
照明装置１００は、図１〜図５に示すように、ＬＥＤ１１と、実装基板１２と、管型カバー部材１３と、放熱部材１４と、レンズ１５、ソケット１６とを備えている。
【００１１】
ＬＥＤ１１は、長尺の実装基板１２の長手方向の第１面（表面）に１列状に複数の搭載されている。管型カバー部材１３は、透光性の円筒形状をしている。管型カバー部材１３には、実装基板１２を開口端から挿入し、ＬＥＤ１１の光出射面１１ａ、非光出射面１１ｂ側を覆うように配置されている。放熱部材１４には、実装基板１２の第２面（裏面）が取着されている。レンズ１５は、棒状の凸レンズであり、ＬＥＤ１１上に配置されている。ＬＥＤ１１に給電するための給電部であるソケット１６は、管型カバー部材１３と放熱部材１４の両端部に取り付けられている。
【００１２】
なお、レンズ１５は、凸レンズに限らず、凹レンズ、フレネルレンズなど、レンズとして機能を備えるものであれば構わない。
【００１３】
ＬＥＤ１１は、図示しない接着層などを介して、実装基板１２に固定されているとともに、電気的に接続されている。実装基板１２は、図示しない配線を配してソケット１６のソケットピン１６ａ，１６ｂに電気的に接続されている。
【００１４】
管型カバー部材１３は、直管の透明または半透明の例えばポリカーボネート樹脂からなる。ソケット１６とソケット１６との間に配置されている。管型カバー部材１３は、実装基板１２が冷気や水蒸気などの水分と直接触れないように形成されている。管型カバー部材１３は、ＬＥＤ１１の光出射面１１ａと対向する位置側が少なくとも透光性で形成されている。管型カバー部材１３の光放出部には、拡散材を入れてある。拡散材は、グレアを防止する。
【００１５】
管型カバー部材１３は、ＬＥＤ１１の非光出射面１１ｂ（背面）と対向する位置が非透光性で形成され、ＬＥＤ１１の発光光が外部に漏れないようにしてもよい。
【００１６】
放熱部材１４は、アルミニウムなどの金属からなり、例えば押出成形により形成されている。図５に示すように、放熱部材１４は、長手方向の側面に凹状部１４ａ，１４ｂが形成され、押出成形時に中空部１４ｃが形成されている。中空部１４ｃは、放熱効果を高めるとともに、放熱部材１４自体の軽量化を図る目的がある。
【００１７】
さらに、放熱部材１４は、管型カバー部材１３と対向する面の短手方向に、波型１４ｄが形成されている。波型１４ｄは、表面積を広くすることで放熱効果を高める効果を持たせている。波型１４ｄは、凹凸でもよい。
【００１８】
レンズ１５は、透明な例えばポリカ―ポネート樹脂で構成されている。レンズ１５は、配光調整を行うものである。レンズ１５の短手方向の両側部には、突出させた状態のガイド部１５ａ，１５ｂが一体形成されている。
【００１９】
図５に示すように、管型カバー部材１３の上部内面には、一端側から他端側までの長手方向に対向して伸びる凸状部１３ａ，１３ｂが一体形成されている。凸状部１３ａ，１３ｂには、放熱部材１４の凹状部１４ａ，１４ｂが係合されている。凹状部１４ａ，１４ｂへの係合は、凸状部１３ａ，１３ｂに凹状部１４ａ，１４ｂを位置合わせし、放熱部材１４を管型カバー部材１３内でスライドさせることで係合される。なお、凸状部１３ａ，１３ｂと凹状部１４ａ，１４ｂは、凸状と凹状が逆であっても構わない。
【００２０】
凸状部１３ａ，１３ｂ下部の管型カバー部材１３の内面には、一端側から他端側までの長手方向に対向して伸びる凹状部１３ｃ，１３ｄが一体形成されている。凹状部１３ｃは、管型カバー部材１３に一体形成により併設されたリブ１３ｃ１，１３ｃ２により構成される。凹状部１３ｄは、管型カバー部材１３に一体形成により併設されたリブ１３ｄ１，１３ｄ２により構成される。
【００２１】
凹状部１３ｃには、レンズ１５のガイド部１５ａが係合されている。凹状部１３ｄには、レンズ１５のガイド部１５ｂが係合されている。凹状部１３ｃとガイド部１５ａおよび凹状部１３ｄとガイド部１５ｂの係合は、ガイド部１５ａ，１５ｂを凹状部１３ｃ，１３ｄに位置合わせし、レンズ１５をスライドさせることで行う。
【００２２】
管型カバー部材１３内に取り付けられた実装基板１２とレンズ１５は、空間部１８を介してほぼ平行な状態で支持されている。
【００２３】
図５に示すように、レンズ１５とガイド部１５ａとの間には、高さｈ１の脚部１５ｃ１が形成されている。レンズ１５とガイド部１５ｂとの間には、高さｈ１の脚部１５ｄ１が形成されている。脚部１５ｃ１，１５ｄ１の高さｈ１は、ＬＥＤ１１とレンズ１５との距離ｄ１を決定している。つまり、脚部１５ｃ１，１５ｄ１の高さを調整するとことで、ＬＥＤ１１とレンズ１５との距離調整が可能となる。
【００２４】
図６に示すレンズ１５ガイド部１５ａとの間には、高さｈ２の脚部１５ｃ２が形成されている。レンズ１５とガイド部１５ｂとの間には、高さｈ２の脚部１５ｄ２が形成されている。脚部１５ｃ２，１５ｄ２の高さｈ２は、ＬＥＤ１１とレンズ１５との距離ｄ２を決定している。つまり、脚部１５ｃ２，１５ｄ２の高さを調整するとことで、ＬＥＤ１１とレンズ１５との距離調整が可能となる。
【００２５】
ここで、脚部１５ｃ１，１５ｄ１の高さｈ１と脚部１５ｃ２，１５ｄ２の高さｈ２の関係は、ｈ１＜ｈ２とする。高さｈ１の場合のＬＥＤ１１とレンズ１５との距離ｄ１と高さｈ２の場合のＬＥＤ１１とレンズ１５との距離ｄ２は、ｄ１＜ｄ２となる。
【００２６】
高さｈ１の脚部１５ｃ１，１５ｄ１によるＬＥＤ１１から照射される光の照射角は、θ１となる。高さｈ２の脚部１５ｃ２，１５ｄ２によるＬＥＤ１１から照射される光の照射角は、θ２となる。
【００２７】
したがって、レンズ１５が同形状である場合の距離ｄ１と距離ｄ２によるレンズ１５を介した照射角θ１，θ２の関係は、θ１＞θ２となる。照射角θ１の場合は、照射角θ２に比してより広い範囲の照射が可能となる。
【００２８】
ここで、図５、図６のレンズ１５は同形状であるとし、脚部の高さがｈ１の場合とｈ２の場合におけるＬＥＤ１１から照射角について説明する。ＬＥＤ１１の発光光の照射角は、１６０度を例とする。
【００２９】
図５の場合において、ＬＥＤ１１を点灯すると、ＬＥＤ１１の発光光は、距離ｄ１の空間部１８をレンズ１５に到達する。レンズ１５を通過するときに光は、屈折する。レンズ１５は凸レンズであり、屈折は光を絞る方向に屈折する。１６０度の方向に放射されたＬＥＤ１１の発光光は、レンズ１５で絞られ、照射角θ１で出射する。図中の照射角θ１は、例えば１１０度程度である。
【００３０】
図６の場合において、ＬＥＤ１１を点灯すると、ＬＥＤ１１の発光光は、距離ｄ２の空間部１８をレンズ１５に到達する。レンズ１５を通過するときに光は、屈折する。レンズ１５は凸レンズであり、屈折は光を絞る方向に屈折する。１６０度の方向に放射されたＬＥＤ１１の発光光は、レンズ１５で絞られ、照射角θ２で出射する。図中の照射角θ１は、例えば９０度程度である。
【００３１】
なお、実装基板１２とレンズ１５間の側方に放射される光は、例えば管型カバー部材１３の一部を黒色にするなどの光を遮蔽する手段を講じ、ＬＥＤ１１から出射される光は、レンズ１５を介して放射するようにしてもよい。
【００３２】
このように、距離ｄ１の空間部１８をレンズ１５に到達した場合と、距離ｄ２の空間部１８をレンズ１５に到達した場合での照射角は、約２０度の違いが生じる。脚部の高さの異なるレンズ１５を使用することで、異なる配光で照射させることのできる照明装置１００を実現することができる。
【００３３】
照明装置１００は、ＬＥＤ１１が搭載された実装基板１２を管型カバー部材１３内に収納され、管型カバー部材１３の両端間にはつなぎ目がない。このために、照明装置１００は、実装基板１２などに対する防水性が図れ、例えば冷蔵ショーケースなどに適用可能となる。
【００３４】
ＬＥＤ１１が搭載された実装基板１２は、放熱部材１４とともに管型カバー部材１３内の凸状部１３ａ，１３ｂに沿ってスライドさせながら出し入れ可能である。一旦取着した実装基板１２の取り出しが可能なことから、メンテナンス性の向上を図ることができる。
【００３５】
この実施形態では、異なる脚部の高さを有するレンズの入れ替えで、異なる配光の照明装置を得ることが可能となる。
【００３６】
（実施形態２）
図７、図８は、実施形態２の照明装置について説明するための断面図である。
【００３７】
この実施形態は、実施形態１のレンズ１５の脚部１５ｃ１，１５ｄ１を可撓性とし、互いが反対方向に曲げられた形状の脚部１５１，１５２とした。そして、図７の実線に示すように、通常はガイド部１５ａ，１５ｂの幅をｗ１する。ガイド部１５ａ，１５ｂの間隔を狭める作用が働いた場合の幅ｗ２は、ガイド部１５ａ，１５ｂの幅ｗ１より狭くする。第１の位置である幅ｗ１から第２の位置である幅ｗ２に変化した場合のレンズ１５の位置は、実線から破線の位置に変化する。
【００３８】
図８は、径を大とした場合の管型カバー部材１３と径を小とした場合の管型カバー部材１３１とした場合の、図７に示すレンズ１５の取り付けを示す。
【００３９】
管型カバー部材１３１内面には、管型カバー部材１３の凹状部１３ｃ，１３ｄに相当する凹状部１３１ｃ，１３１ｄが形成されている。凹状部１３１ｃは、管型カバー部材１３１と一体形成のリブ１３１ｃ１，１３１ｃ２により形成される。凹状部１３１ｄは、管型カバー部材１３１と一体形成のリブ１３１ｄ１，１３１ｄ２により形成される。
【００４０】
レンズ１５を径大の管型カバー部材１３へ取り付ける場合について説明する。まず、レンズ１５は、脚部１５１，１５２を互いに反対方向に広げた状態で、ガイド部１５ａ，１５ｂを凹状部１３ｃ，１３ｄに管型カバー部材１３の一端から位置合わせする。次いで、ガイド部１５ａ，１５ｂを凹状部１３ｃ，１３ｄに沿って、スライドさせることで、レンズ１５を凹状部１３ｃ，１３ｄに取り付けることができる。
【００４１】
次に、レンズ１５を径小の管型カバー部材１３１へ取り付ける場合について説明する。
【００４２】
レンズ１５は、脚部１５１，１５２を互いに近づけた状態で、ガイド部１５ａ，１５ｂを凹状部１３ｃ，１３ｄに管型カバー部材１３の一端から位置合わせする。次いで、ガイド部１５ａ，１５ｂを凹状部１３ｃ，１３ｄに沿って、スライドさせることで、レンズ１５を凹状部１３ｃ，１３ｄに取り付けることができる。
【００４３】
脚部１５１，１５２を広げ傾斜した状態で取り付けた場合のレンズ１５とＬＥＤ１１との距離をｄ１とする。脚部１５１，１５２を近づけ立ち上がった状態で取り付けた場合のレンズ１５とＬＥＤ１１との距離をｄ２とする。脚部１５１，１５２が斜めになった状態の距離ｄ１と立ち上がった状態の距離ｄ２との関係は、ｄ１＜ｄ２となる。
【００４４】
したがって、レンズ１５が同形状であったとする。管型カバー部材１３にレンズ１５を介してＬＥＤ１１から照射される角度は広くなる。管型カバー部材１３１にレンズ１５を介してＬＥＤ１１から照射される角度は狭くなる。
【００４５】
この実施形態では、共通のレンズを使用しながら、管型カバーの管径を変えることで照射角の調整することが可能となる。
【００４６】
（実施形態３）
図９は、実施形態３について説明するための断面図である。この実施形態は、管型カバー部材１３内部に形成された凹状部１３ｃを形成するリブ１３ｃ１，１３ｃ２、凹状部１３ｄを形成するリブ１３ｄ１，１３ｄ２をなくした。レンズ１５は、放熱部材１４の一部に取り付けるようにした。
【００４７】
図９に示すように、実装基板１２に取り付けた側の放熱部材１４は、放熱部材１４より幅を広くして、実装基板１２側に曲げ、さらに先端対向する方向に曲げて係止部１４１，１４２が形成されている。レンズ１５の脚部１５１の先端には、鉤部１５３が形成され、脚部１５２の先端には、鉤部１５４が形成されている。鉤部１５３，１５４は、反対向きに形成されている。鉤部１５３は、係止部１４１に係止でき、鉤部１５４は、係止部１４２に係止できるように形成されている。
【００４８】
鉤部１５３，１５４の係止部１４１，１４２への係止は、係止部１４１，１４２の端部からスライドにより係合させてもよいが、係止部１４１，１４２に鉤部１５３，１５４を乗り越すことによる係合でも構わない。
【００４９】
なお、この実施形態のレンズにおいても異なる高さの脚部のレンズを使用することにより、照射角の異なる照明装置の実現が可能とる。
【００５０】
この実施形態では、予め放熱部材とレンズを一体化した状態で、管型カバー部材に取り付けることができるため、組み立ての作業効率の向上を図ることができる。また、レンズは、放熱部材の一部に取り付けることで、レンズを取り付けるリブを管型カバー部材から除去し、発光を妨げる要因をなくすことで発光効率向上に寄与する。
【００５１】
（実施形態４）
図１０は、実施形態４について説明するための断面図である。上記実施形態と同一機能の部分には同一の符号を付して説明する。この実施形態は、管型カバー部材から長尺の断面がＵ字状のＵ字型カバー部材１３２に変更したものである。
【００５２】
図１０に示すように、Ｕ字型カバー部材１３２は、開放部１０１側の対向面１０ａ，１０ｂの同位置に凸状部１３ａ，１３ｂが形成されている。放熱部材１４の長手方向の両側面には、凹状部１４ａ，１４ｂが形成されている。
【００５３】
凸状部１３ａ，１３ｂには、放熱部材１４の凹状部１４ａ，１４ｂが係合されている。凹状部１４ａ，１４ｂへの係合は、凸状部１３ａ，１３ｂに凹状部１４ａ，１４ｂを位置合わせし、放熱部材１４をＵ字型カバー部材１３２内でスライドさせることで係合される。なお、凸状部１３ａ，１３ｂと凹状部１４ａ，１４ｂは、凸状と凹状が逆であっても構わない。
【００５４】
さらに、放熱部材１４は、開放部１０１に面する側には放熱フィン１４ｄが形成されている。放熱フィン１４ｄは、表面積を広くしＬＥＤ１１で発した熱の放熱効果を高める効果を持たせている。
【００５５】
凸状部１３ａの下方には凹状部１３ｃが形成されている。凹状部１３ｃは、Ｕ字型カバー部材１３２に一体形成により併設されたリブ１３ｃ１，１３ｃ２により形成されている。凸状部１３ｂの下方には凹状部１３ｄが形成されている。凹状部１３ｄは、Ｕ字型カバー部材１３２に一体形成により併設されたリブ１３ｄ１，１３ｄ２により形成されている。
【００５６】
凹状部１３ｃには、レンズ１５のガイド部１５ａが係合されている。凹状部１３ｄには、レンズ１５のガイド部１５ｂが係合されている。凹状部１３ｃとガイド部１５ａおよび凹状部１３ｄとガイド部１５ｂの係合は、ガイド部１５ａ，１５ｂを凹状部１３ｃ，１３ｄに位置合わせし、レンズ１５をスライドさせることで行う。
【００５７】
この実施形態のレンズ１５においても、異なる高さの脚部１５１，１５２のレンズ１５を使用することにより、照射角の異なる照明装置の実現が可能とる。
【００５８】
この実施形態では、Ｕ字型カバー部材の開放部にＬＥＤの熱を逃がすための放熱部材を配置したことから放熱効果を高めることができる。また、Ｕ字型カバー部材の材料を可撓性のものにすれば、開放部のＵ字型カバー部材の対向面を反対側に開く動作によって、レンズや放熱部材の取り付けができる。この場合は、スライドしながら取り付ける作業に比してあまり場所を必要としないことから交換作業などに有利となる。
【００５９】
（実施形態５）
図１１は、実施形態５について説明するための断面図である。この実施形態は、実装基板１２と対向する位置のＵ字型カバー部材１３２とレンズ１５が一体的に形成されている。ＬＥＤ１１とレンズ１５との距離を変え照射角を変更するために凸状部１３ｅ，１３ｆが、凸状部１３ａ，１３ｂに併設されている。凸状部１３ｅ，１３ｆは、放熱部材１４が凸状部１３ａ，１３ｂに選択的に取り付けることが可能な位置に形成されている。さらに、Ｕ字型カバー部材１３２の一部は、レンズ１５の脚部１５ｃ１，１５ｄ１を兼ねている。
【００６０】
そこで、凸状部１３ａ，１３ｂか凸状部１３ｅ，１３ｆかに選択的に取り付けることは、図５の脚部１５ｃ１，１５ｄ１から図６の脚部１５ｃ２，１５ｄ２の高さを変えことと等価であり、上記した距離ｄ１，ｄ２の変更に相当する。
【００６１】
この実施形態では、レンズと脚部をカバー部材と兼用し、部品点数の削減によりコストダウンに寄与するとともに、照明装置の小型化に寄与する。
【００６２】
（実施形態６）
図１２は、実施形態６について説明するための断面図である。この実施形態は、入射された光を配光させる配光手段の機能と、異なる方向の照射角で照射させる光学変換を行う光学制御手段の機能とを備えたレンズ１５Ｄとした構成部分が実施形態１と異なる。
【００６３】
図１２に示すように、レンズ１５Ｄは、切欠き部１５Ｄ１の形成により、ＬＥＤ１１の光を入射させる入射面１５Ｄａ，１５Ｄｂに分割されている。
【００６４】
ＬＥＤ１１の発光光が入射面１５Ｄａ入射されると、レンズ１５Ｄは凸レンズの光学的な作用により、照射エリアＡ１に出射される。ＬＥＤ１１の発光光が入射面１５Ｄｂ入射されると、レンズ１５Ｄは凸レンズの光学的な作用により、照射エリアＡ２に出射される。レンズ１５Ｄの切欠き部１５Ｄ１は、レンズ１５Ｄの光軸上周辺では高い光量で光が出射されないようにするためのものである。
【００６５】
レンズ１５Ｄは、脚部１５ｃ１，１５ｄ１を介して凹状部１３ｃ，１３ｄに取り付けられている。この場合も脚部１５ｃ１，１５ｄ１をの高さを、例えば図６に示すように、脚部１５ｃ２，１５ｄ２に変更することで、照射エリアＡ１，Ａ２の照射角を変更することができる。
【００６６】
この実施形態は、脚部の高さを変更することで、異なる照射角の照射角が可能となり、異なる方向の照射角と照射エリアの変更が可能となる。
【００６７】
（実施形態７）
図１３は、実施形態７の照明システムを示す側断面図である。図１３は、上記した照明装置の実施形態を備えた照明システム例として冷蔵用ショーケースの側断構造を示す。
【００６８】
例示したショーケースは、スーパーマーケット等の店舗において冷凍食品や生鮮食品等の図示しない商品を陳列販売するためのオープンショーケースと言われるものである。ショーケースは、ショーケース本体５０を備えている。ショーケース本体５０は、前面および両側面が開口した形状を成すもので、外表面を構成する外箱５１と、内表面を構成する内箱５２とを備えている。
【００６９】
外箱５１は、底面部５１ａと、外方背壁部５１ｂと、外方上壁部５１ｃとを備えている。内箱５２は、デッキパン部５２ａと、内方背壁部５２ｂと、内方上壁部５２ｃとを備え、これらデッキパン部５２ａ、内方背壁部５２ｂおよび内方上壁部５２ｃによって囲まれる空間に商品収容庫５３を画成している。
【００７０】
ショーケースには、ショーケース本体５０における外方上壁部５１ｃに、１００ａ〜１００ｃの、実施形態１による照明装置１００が３灯（３列）設置されている。
【００７１】
照明装置１００ａ，１００ｂは、外方上壁部５１ｃの前端部から前方に向けて突設したトップケース５７に取着されている。照明装置１００ａ，１００ｂは、例えば、図６に示す脚部１５ｃ２，１５ｄ２のＬＥＤ１１からレンズ１５までの距離ｄ２のレンズ１５を用いる。
【００７２】
トップケース５７は、最下段に位置する商品陳列棚５４ａ〜５４ｄの商品陳列棚５４ｄの前端縁よりもさらに前方に突出したボックス状部分と、その下方に向く部位にライトレール５５を構成している。ライトレール５５は、後方に向けて漸次上方に傾斜する態様で延在した平板状部分である。ライトレール５５は、鉛直面に対する傾斜角度αが６５〜８５°の範囲にあることが好ましく、７５°の傾斜角度αをもつのがより好ましい。
【００７３】
照明装置１００ｃは、内方背壁部５２ｂの前端部に取着されている。照明装置１００ｃは、例えば、図５に示す脚部１５ｃ１，１５ｄ１のＬＥＤ１１からレンズ１５までの距離ｄ１のレンズ１５を用いる。
【００７４】
照明装置１００ａは、例えばトップケース５７のライトレール５５から商品取出下端部５６から商品陳列棚５４ｄに陳列した商品までの付近に照明光を照射するためのものである。
【００７５】
照明装置１００ｂは、例えばトップケース５７のライトレール５５からデッキパン部５２ａから商品陳列棚５４ｂに陳列した商品までの付近に照明光を照射するためのものである。
【００７６】
照明装置１００ｃは、例えば内方背壁部５２ｂの上部、商品陳列棚５４ａそれにデッキパン部５２ａまで付近に照明光を照射するためのものである。
【００７７】
図６に示すレンズの照明装置を搭載することで、照明装置１００ａは、比較的狭い照射角を必要とする商品取出下端部５６から商品陳列棚５４ｄに陳列した商品までの付近の照明光を得ることができる。また、照明装置１００ｂは、比較的狭い照射角を必要とするデッキパン部５２ａから商品陳列棚５４ｂに陳列した商品までの付近の照明光を得ることができる。
【００７８】
図５に示すレンズの照明装置を搭載することで、照明装置１００ｃは、やや広い照射角の必要な内方背壁部５２ｂの上部、商品陳列棚５４ａそれにデッキパン部５２ａまで付近に照明光を得ることができる。
【００７９】
このように、照明装置は、異なる脚部の高さの違いのレンズを変更することで、目的に応じた照射角に変更可能である。このために商品陳列に応じた照明装置の自由度の向上を図ることができる。
【００８０】
（実施形態８）
図１４乃至図１７は、実施形態８の照明システムを示す説明図である。この実施形態は、上記した照明装置の実施形態を備えた照明システム例として例えばスーパーマーケットやコンビニエンスストアなどに設置される冷蔵ショーケースである。なお、冷凍又は保温のためのショーケースであってもよい。
【００８１】
図１４、図１５に示すように、ショーケース６０は、顧客側の前面に開口部６１を有し、断熱性を備えた箱状の本体６２と、本体６２の底面に取り付けられて本体６２を支持する設置台６３と、を含んで構成される。
【００８２】
本体６２のうち、内上面、内底面、内背面には、それぞれ内方に離隔して仕切壁６４ａ，６４ｂ，６４ｃが取り付けられている。これら仕切壁６４ａ，６４ｂ，６４ｃなどと本体６２の両側壁により前面に開口する陳列室６５が形成される。
【００８３】
陳列室６５は、縦方向に仕切る透明なガラス製の仕切板６６ａ，６６ｂにより前面に開口する陳列部６５１，６５２，６５３が形成される。仕切板６６ａは、仕切壁６４ａ，６４ｂ，６４ｃにより上下と背側面が固定されている。仕切板６６ｂは、仕切壁６４ａ，６４ｂ，６４ｃにより上下と背側面が固定されている。
【００８４】
仕切板６６ａの表側面は、仕切板６６ａと仕切壁６４ｂに固定されたフレーム６７ａに固定されている。仕切板６６ｂの表側面は、仕切板６６ａと仕切壁６４ｂに固定されたフレーム６７ｂに固定されている。
【００８５】
陳列部６５１，６５２，６５３の開口部分には、金属製の枠内にガラスが嵌め込まれた開閉扉６７１，６７２，６７３が配置され、陳列室６５の保温と商品の取り出しに利用される。
【００８６】
陳列室６５と本体６２との間の空間には、図示しない蒸発器及び冷気循環用送風機などが収容されている。冷気循環用送風機による冷気は、陳列室６５の前面開口の上縁部に形成した吐出口６８を介して行い陳列室６５内を冷却する。
【００８７】
また、陳列室６５には、商品を載置するための複数段の棚６９が図示しないブラケットを介して架設される。
【００８８】
図１６に示すように、陳列部６５１の開口面の左右上下には、照明装置７０１，７０２が取り付けられている。陳列部６５２の開口面の左右上下には、照明装置７０２，７０３が取り付けられている。陳列部６５３の開口面の左右上下には、照明装置７０３，７０４が取り付けられている。照明装置７０２は、陳列部６５１と陳列部６５２を共用し、照明装置７０３は、陳列部６５２と陳列部６５３を共用する。照明装置７０１ないし７０４の一端は、例えば仕切壁６４ａに、他端は仕切壁６４ｂにそれぞれ取り付けられている。
【００８９】
図１７は、照明装置７０１ないし７０４の一例を示す。図１７（ａ）は、図５で説明した照明装置の配光が右方向になるように配置している。図１７（ｂ）は、図５で説明した照明装置の配光が左方向になるように配置している。図１７（ｃ）は、図１２で説明した照明装置を示す。
【００９０】
例えば、図１６の照明装置７０１には、図１７（ａ）の照明装置を使用し、図１６の照明装置７０４には、図１７（ｂ）の照明装置を使用する。図１６の照明装置７０２，７０３には、図１７（ｃ）の照明装置を使用する。
【００９１】
これにより、陳列部６５１は、照明装置７０１，７０２により照らされ、陳列部６５２は、照明装置７０２，７０３により照らされ、陳列部６５３は、照明装置７０３，７０４により照らされる。
【００９２】
そして、照明装置７０１，７０４では、レンズ１５の脚部の高さを変更し、照明装置７０２，７０３では、レンズ１５Ｄの脚部の高さを変更することで、陳列部６５１，６５２，６５３の照明の明るさなど変更することができる。
【００９３】
図１８は、図１３に示す照明装置１００ａ〜１００ｃを駆動する点灯装置の一例を示す概略的な構成図である。点灯装置は、ＡＣ／ＤＣコンバータ（交流直流変換器）２０１、点灯回路２０２ａ〜２０２ｃを備える。
【００９４】
ＡＣ／ＤＣコンバータ２０１は、商用電源等の交流電源ＡＣからの交流電圧を整流および平滑化して直流電圧に変換する回路であり、ダイオードブリッジＤＢおよびコンデンサＣ１で構成される。すなわち、ダイオードブリッジＤＢの交流入力端子間に交流電源ＡＣが接続され、ダイオードブリッジＤＢの直流出力端子間に平滑化用のコンデンサＣ１が接続されている。
【００９５】
点灯回路２０２ａは、ＡＣ／ＤＣコンバータ２０１からの直流電圧を入力とし、ＬＥＤ１１に供給する電流を生成する回路であり、ＤＣ／ＤＣコンバータとして機能するチョッパ回路の一部を構成している。点灯回路２０２ａは、入力された直流電圧をチョッピングするためのチョークコイルＬ、そのチョークコイルＬに蓄積されたエネルギーを回生させるためのダイオードＤ、および平滑化用のコンデンサＣ２で構成される。チョークコイルＬ、ダイオードＤおよびＬＥＤ１１は、回路ループを形成するように接続されている。コンデンサＣ２は、ＬＥＤ１１と並列に接続され、この点灯回路２０２ａの出力電圧（および出力電流）を平滑化する。
【００９６】
点灯回路２０２ａから出力される直流の出力電圧は、ＬＥＤ１１に供給し、ＬＥＤ１１を点灯する。なお、点灯回路２０２ｂ，２０２ｃも点灯回路２０２ａと同じような構成をし、照明装置１００ｂ，１００ｃをそれぞれ点灯する。
【００９７】
なお、点灯回路２０２ａ〜２０２ｃには、それぞれ調光装置を備えてもよい。調光装置では、点灯回路２０２ａ〜２０２ｃの出力電流を制御することにより調光信号を得ることができる。ＬＥＤ１１は、調光信号のレベルに応じての明るさを変えることができる。
【００９８】
図１３では、照明システムの照明装置１００ａ，１００ｂとして図６に示す例を、照明装置１００ｃとして図５に示す例をそれぞれ示し説明した。
【００９９】
ここで、図１３中における照明装置１００ａ〜１００ｃの照射角が、１００ａ＝１００ｂ＜１００ｃの関係に設定したとする。
【０１００】
近くを広角度で照射することが必要な照明装置１００ｃの場合は、高さｈ１の脚部１５ｃ１，１５ｄ１のレンズ１５を凹状部１３ｃ，１３ｄに係合し、図５に示す状態にする。この場合は、θ１の照射角が得られ、ショーケースで必要な内方背壁部５２ｂの上部、商品陳列棚５４ａそれにデッキパン部５２ａまで付近に照明光を照射することが可能となる。
【０１０１】
比較的狭い角度で離れた位置まで照射することが必要な照明装置１００ｂ，１００ｃの場合は、それぞれ高さｈ２の脚部１５ｃ２，１５ｄ２のレンズ１５を凹状部１３ｃ，１３ｄに係合し、図６の状態にする。この場合は、θ２の照射角が得られる。そして、照明装置１００ｂは、トップケース５７のライトレール５５からデッキパン部５２ａから商品陳列棚５４ｂに陳列した商品までの付近に照明光を照射することが可能となる。照明装置１００ｃは、内方背壁部５２ｂの上部、商品陳列棚５４ａそれにデッキパン部５２ａまで付近に照明光を照射することが可能となる。
【０１０２】
このように、照明装置１００（１００ａ〜１００ｃ）は、高さの異なる脚部のレンズ１５を、照射目的により選択することが可能である。従って、照明装置１００は、取り付ける作業現場においてレンズ１５を抜き差しすることで、第１の位置あるいは第２の位置を相互に変更することが可能となる。
【０１０３】
この発明は以上説明した実施形態に記載した内容に限定されるものではない。たとえば、上記実施形態では、この発明の照明装置を、商品陳列用の冷凍庫や冷蔵庫などのショーケースの照明装置に適用した例について示したが、家庭用の冷凍庫や冷蔵庫の照明装置に適用してもよいし、冷凍庫や冷蔵庫以外の機器の照明装置に適用してもよい。
【０１０４】
上記実施形態では、発光ダイオードの例について示したが、この発明はこれに限らず、発光ダイオード以外の素子を含む発光素子を用いてもよい。
【０１０５】
また、上記実施形態では、ＬＥＤ１１を１列状に配置した例について説明したが、この発明はこれに限らず、例えば、２列状（複数列状）に配置してもよいし、２列状の配列を、１列目のＬＥＤ１１と２列目のＬＥＤ１１とを千鳥状に配置してもよい。
【０１０６】
上記実施形態では、管型カバー部材１３の両端部に、ソケット１６を配置した例について示したが、管型カバー部材１３の両端部に、樹脂などからなる蓋部材を配置してもよい。具体的には、蓋部材に開けた貫通穴にリード線（端子）を通して、ＬＥＤ１１に給電してもよい。
【０１０７】
上記実施形態では、ポリカ―ボネート樹脂からなる管型カバー部材１３を用いた例について示したが、この発明はこれに限らず、ポリカ―ボネート樹脂以外の樹脂からなる透光性カバー部材を用いてもよいし、ガラス製の透光性カバー部材を用いてもよい。
【０１０８】
上記実施形態では、１つの実装基板上に複数のＬＥＤ１１を搭載する構成例について説明したが、複数の実装基板にそれぞれ複数ＬＥＤを搭載するようにしてもよい。この場合は、ある実装基板のＬＥＤが故障した場合でも他の実装基板のＬＥＤの点灯は継続することから、照明装置全体が非点灯となることを防止できる。
【０１０９】
さらに、管型カバー部材１３の外周に、第２管型カバー部材を配置してもよい。この場合の管型カバー部材１３は、第２管型カバー部材を例えば固定し、第２管型カバー部材の内周方向を回動可能にする。第２管型カバー部材を用いた照明装置は、例えば図１６の照明装置７０１，７０４として用いることにより、第２管型カバー部材内で管型カバー部材１３を回動することで配光の調整も可能となる。
【０１１０】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【０１１１】
１００，１００ａ〜１００ｃ，７０１〜７０４  照明装置
１１  ＬＥＤ
１２  実装基板
１３，１３１  管型カバー部材
１３ａ，１３ｂ，１３ｅ，１３ｆ  凸状部
１３ｃ，１３ｄ，１４ａ，１４ｂ  凹状部
１３ｃ１，１３ｃ２，１３ｄ１，１３ｄ２  リブ
１３２  Ｕ字型カバー部材
１４  放熱部材
１５、１５Ｄ  レンズ
１５ａ，１５ｂ  ガイド部
１５１，１５２，１５ｃ１，１５ｄ１，１５ｃ２，１５ｄ２  脚部
５０，６０  ショーケース本体
【図１】
2018026275.tif 000003
【図２】
2018026275.tif 000004
【図３】
2018026275.tif 000005
【図４】
2018026275.tif 000006
【図５】
2018026275.tif 000007
【図６】
2018026275.tif 000008
【図７】
2018026275.tif 000009
【図８】
2018026275.tif 000010
【図９】
2018026275.tif 000011
【図１０】
2018026275.tif 000012
【図１１】
2018026275.tif 000013
【図１２】
2018026275.tif 000014
【図１３】
2018026275.tif 000015
【図１４】
2018026275.tif 000016
【図１５】
2018026275.tif 000017
【図１６】
2018026275.tif 000018
【図１７】
2018026275.tif 000019
【図１８】
2018026275.tif 000020